(57)【要約】【課題】周囲環境を疑似的に演出するための照明装置を小型化する。【解決手段】開口部１１を有するケース１０と、ケース１０内に設けられ、動的に変化する光分布を含む光を出射する光出射面３２を有する光出射板３０と、開口部１１に設けられ、光出射面３２から出射された光の光分布を変更して出射する光分布変更出射面４２を有する光分布変更板４０とを備える。光出射板３０は、光分布を含む光として、光出射面３２に現し出される輝度分布および色度分布のうち少なくとも一方の分布を含む光を出射し、光分布変更板４０は、光出射面３２から出射された光を拡散および透過することで、光分布変更出射面４２に現し出される輝度分布および色度分布の少なくとも一方の分布をぼかした状態に変更して出射する。【選択図】図４
2018170125.tif 000002
【特許請求の範囲】
【請求項１】
開口部を有するケースと、
前記ケース内に設けられ、動的に変化する光分布を含む光を出射する光出射面を有する光出射板と、
前記光出射板と対向するように前記開口部に設けられ、前記光出射面から出射された光の前記光分布を変更して出射する光分布変更出射面を有する光分布変更板と
を備え、
前記光出射板は、前記光分布を含む光として、前記光出射面に現し出される輝度分布および色度分布のうち少なくとも一方の分布を含む光を出射し、
前記光分布変更板は、前記光出射面から出射された光を拡散および透過することで、前記光分布変更出射面に現し出される前記輝度分布および前記色度分布の少なくとも一方の分布をぼかした状態に変更して出射する
照明装置。
【請求項２】
前記光出射板は、前記光出射面に現し出される輝度分布および色度分布のうち、輝度分布を含む光を出射し、
前記光分布変更板は、前記光分布変更出射面に現し出される前記輝度分布をぼかした状態に変更して出射し、
前記光分布変更出射面に現し出される輝度の最大値と最小値との差は、前記光出射面に現し出される輝度の最大値と最小値との差よりも小さい
請求項１に記載の照明装置。
【請求項３】
前記光出射板は、前記光出射面に現し出される輝度分布および色度分布のうち、色度分布を含む光を出射し、
前記光分布変更板は、前記光分布変更出射面に現し出される前記色度分布をぼかした状態に変更して出射し、
前記光分布変更出射面に現し出される色度の差は、前記光出射面に現し出される色度の差よりも小さい
請求項１に記載の照明装置。
【請求項４】
前記光分布変更出射面から出射される光は、前記光出射面から出射される光と同系統の色彩を有している
請求項１〜３のいずれか１項に記載の照明装置。
【請求項５】
前記光出射板は、複数の発光素子を有し、
さらに、前記照明装置は、前記複数の発光素子の発光を制御する制御部を備え、
前記制御部は、前記光出射面に現し出される輝度分布および色度分布のうち少なくとも一方を調整するように前記複数の発光素子の発光を制御する
請求項１〜４のいずれか１項に記載の照明装置。
【請求項６】
さらに、
複数の発光素子を有し、前記光出射板に光を出射する光源と、
前記複数の発光素子の発光を制御する制御部と
を備え、
前記光出射板は、前記光源から出射された光を拡散および透過して前記光分布変更板に向けて出射する拡散透光板であり、
前記制御部は、前記光出射面に現し出される輝度分布および色度分布のうち少なくとも一方を調整するように前記複数の発光素子の発光を制御する
請求項１〜４のいずれか１項に記載の照明装置。
【請求項７】
さらに、前記光出射板に光を出射する光源を備え、
前記光出射板は、前記光源から出射された光を拡散および反射して前記光分布変更板に向けて出射する拡散反射板である
請求項１〜４のいずれか１項に記載の照明装置。
【請求項８】
前記光出射面は、青色系の色彩に着色され、
前記光出射板は、前記光源から出射された光が入射することで青色系の色彩光を出射し、
前記光分布変更板は、前記光出射面から出射された前記青色系の色彩光が入射することで青色系の色彩光を出射する
請求項７に記載の照明装置。
【請求項９】
前記光出射板は、複数の繊維を積層した積層体を有する
請求項７または８に記載の照明装置。
【請求項１０】
前記光出射板は、化学繊維またはセルロース繊維を積層した紙状積層体を有する
請求項７または８に記載の照明装置。
【請求項１１】
前記光源は、前記光出射面に前記輝度分布および前記色度分布のうち少なくとも一方を現し出す第１の光源と、前記光分布変更出射面に前記輝度分布および前記色度分布のうち少なくとも一方を変更した状態で現し出す第２の光源とを備える
請求項６に記載の照明装置。
【請求項１２】
前記ケースは、建物の天井または壁に設置され、
前記光分布変更板は、前記天井の天井面または前記壁の内壁面よりも外側に位置するように配置される
請求項１〜１１のいずれか１項に記載の照明装置。
【請求項１３】
前記ケースは、建物の天井または壁から内側に突出する枠体の内部に設置され、
前記光分布変更板は、前記枠体の突出した先端部よりも外側に位置するように配置される
請求項１〜１１のいずれか１項に記載の照明装置。
【発明の詳細な説明】
【技術分野】
【０００１】
本発明は、青空などの周囲環境を疑似的に演出するための照明装置に関する。
【背景技術】
【０００２】
例えば、窓が無い会議室や、地下街、トンネルなどの場所では、屋外光が屋内に差し込まれないので、人によっては圧迫感またはストレスを感じる場合がある。
【０００３】
そこで、上記のような場所の天井または壁面に擬似的な窓を設け、この窓に青空などの周囲環境を擬似的に演出することで、開放感を醸し出し、圧迫感またはストレスを軽減する照明装置が提案されている（例えば、特許文献１参照）。
【先行技術文献】
【特許文献】
【０００４】
【特許文献１】特表２０１６−５１４３４０号公報
【発明の概要】
【発明が解決しようとする課題】
【０００５】
上記従来の照明装置は、例えば、天井面に設けられた枠状の開口に光拡散板が装着され、この光拡散板の奥側（天井の上側）に光源が配置された構造となっている。しかしながらこの照明装置では、光源を光拡散板の近くに配置した場合、光源が接近して見えるので、奥行きを有する周囲環境を演出することが困難となる。一方でこの照明装置において、光源を光拡散板から遠く離して配置した場合は、照明装置が大型化するという問題がある。
【０００６】
そこで、本発明は、周囲環境を疑似的に演出するための照明装置を小型化することを目的とする。
【課題を解決するための手段】
【０００７】
上記目的を達成するため、本発明の一態様に係る照明装置は、開口部を有するケースと、前記ケース内に設けられ、動的に変化する光分布を含む光を出射する光出射面を有する光出射板と、前記光出射板と対向するように前記開口部に設けられ、前記光出射面から出射された光の前記光分布を変更して出射する光分布変更出射面を有する光分布変更板とを備え、前記光出射板は、前記光分布を含む光として、前記光出射面に現し出される輝度分布および色度分布のうち少なくとも一方の分布を含む光を出射し、前記光分布変更板は、前記光出射面から出射された光を拡散および透過することで、前記光分布変更出射面に現し出される前記輝度分布および前記色度分布の少なくとも一方の分布をぼかした状態に変更して出射する。
【発明の効果】
【０００８】
本発明によれば、周囲環境を疑似的に演出するための照明装置を小型化することができる。
【図面の簡単な説明】
【０００９】
【図１Ａ】照明装置に映し出される画像の一例を示す図である。
【図１Ｂ】照明装置に映し出される画像の比較例を示す図である。
【図２】実施の形態１に係る照明装置の外観を示す斜視図である。
【図３】実施の形態１に係る照明装置が天井に設置されている状態を示す図である。
【図４】実施の形態１に係る照明装置の分解斜視図である。
【図５】図３の照明装置を図３に示すＶ−Ｖ線で切断した場合の断面図である。
【図６】実施の形態１に係る照明装置の制御構成を示すブロック図である。
【図７Ａ】実施の形態１に係る照明装置に現し出される輝度分布の一例を示す図である。
【図７Ｂ】実施の形態１に係る照明装置に現し出される色度分布の一例を示す図である。
【図８】実施の形態２に係る照明装置の分解斜視図である。
【図９】実施の形態３に係る照明装置の分解斜視図である。
【図１０】実施の形態４に係る照明装置の分解斜視図である。
【図１１】実施の形態４に係る照明装置の制御構成を示すブロック図である。
【図１２】実施の形態４の変形例に係る照明装置の分解斜視図である。
【図１３】実施の形態５に係る照明装置の断面図である。
【図１４】比較例に係る照明装置の断面図である。
【発明を実施するための形態】
【００１０】
（本発明の基礎となった知見）
例えば、屋内から窓を通して青空を見た場合、窓の向こう側に無限の奥行きを感じる。そのため、照明装置を用いて青空などの自然環境を疑似的に演出する場合は、自然に近い奥行きを現し出すことが求められる。ここで、照明装置にて演出する演出対象物（青空、雲、朝日、曇り空、夕空、夕日、飛行機など）に、自然に近い奥行きを現し出すためのいくつかの条件について説明する。
【００１１】
図１Ａは、照明装置に映し出される画像の一例を示す図である。
【００１２】
図１Ａに示す照明装置は、２つの色彩現出板１３０および１４０を備えている。１つ目の色彩現出板１３０は、例えば、自発光によって光を出射する、他の光源によって出射された光を透過して出射する、または、他の光源によって出射された光を反射して出射することで自身に色彩を現し出す板である。２つ目の色彩現出板１４０は、色彩現出板１３０から出射された光を透過し出射することで自身に色彩を現し出す板である。色彩現出板１３０および色彩現出板１４０は、間隔をあけて互いに対向している。
【００１３】
以下、色彩現出板１３０および色彩現出板１４０として、他の光源によって出射された光を拡散および透過して出射することで色彩を現し出す拡散透光板を例に挙げて説明する。例えば、色彩現出板１３０のＺ軸のプラス側には、色彩現出板１３０に向けて光を出射する光源が配置されている（図示省略）。光源から出射された光は色彩現出板１３０の入射面１３１に入射され、色彩現出板１３０を透過して出射面１３２から出射される。色彩現出板１３０には、光源から出射された光として、画像ａ２が映し出される。また、色彩現出板１３０の出射面１３２から出射された光は、色彩現出板１４０の入射面１４１から入射され、色彩現出板１４０を透過して出射面１４２から出射される。色彩現出板１４０には、出射面１４２から出射された光として、画像ａ２と同様の形状および同色系の色を有する画像ａ１が映し出される。色彩現出板１４０のＺ軸のマイナス側には、照明装置を観察するユーザが位置しており、ユーザは、照明装置の色彩現出板１４０および色彩現出板１３０に現し出される画像ａ１および画像ａ２を観察する。
【００１４】
図１Ａの（ａ）は、２つの色彩現出板１３０、１４０を正面から見た場合の図であり、手前の色彩現出板１４０に映し出される画像ａ１と奥側の色彩現出板１３０に映し出される画像ａ２とが重なって見える状態を示している。図１Ａの（ｂ）は、色彩現出板１３０、１４０を斜め左側から見た場合であり、手前の画像ａ１が奥側の画像ａ２に対して右側（Ｙ方向マイナス側）にずれている状態を示している。図１Ａの（ｃ）は、色彩現出板１３０、１４０を斜め右側から見た場合であり、手前の画像ａ１が奥側の画像ａ２に対して左側（Ｙ方向プラス側）にずれている状態を示している。
【００１５】
このように、色彩現出板１３０、１４０に映し出される画像ａ１および画像ａ２の相対位置が変化するように移動視差を生じさせることで、ユーザにとって奥行き感を生じさせることができる。すなわち、２つの画像ａ１および画像ａ２を奥行き方向（Ｚ方向）に離して配置することで、演出対象物に奥行き感を生じさせることが可能となる。
【００１６】
図１Ｂは、照明装置に映し出される画像の比較例を示す図である。
【００１７】
この比較例では、色彩現出板１３０、１４０に映し出される画像の形状は同じであるが、色が異なる状態を示している。具体的には、色彩現出板１４０には画像ａ１が映し出され、色彩現出板１３０には画像ａ１と異なる色を有する画像ｂ１が映し出されている。図１Ｂの（ａ）は、２つの色彩現出板１３０、１４０を正面から見た場合の図であり、手前の色彩現出板１４０に映し出される画像ａ１と奥側の色彩現出板１３０に映し出される画像ｂ１とが重なって見える状態を示している。
【００１８】
図１Ｂの（ａ）に示す比較例のように、色彩現出板１３０、１４０のそれぞれに対応して異なる色の画像ｂ１、ａ１が映し出されると、手前の画像ａ１と奥側の画像ａ２との距離を容易に認識することができる。そのため、比較例の場合では奥行きが得られたとしても、実際の色彩現出板１３０と色彩現出板１４０との距離の範囲内での奥行きとなってしまう。それに対し、図１Ａの（ａ）に示すように、色彩現出板１３０、１４０のそれぞれに対応して同色系の色を有する画像ａ２、ａ１を映し出すことで、奥行き方向における画像ａ１の位置および画像ａ２の位置のそれぞれを把握することが視覚的に困難となる。そのため、照明装置を観察するユーザにおいて、目の焦点が画像ａ２よりも遠方にてぼんやりと結ばれ、演出対象物が遠方に存在するように感じさせることができる。すなわち、２つの画像ａ１および画像ａ２を互いに同色系の色で現すことで、あたかも奥行き方向の遠い位置に演出対象物が存在するように感じさせることが可能となる。
【００１９】
なお、ここでいう同色系の色とは、人間の目で同じ色に見える色である。例えば、同色系の色とは、色差ΔＥが２５以下であることを示す。また例えば、同色系の色とは、ＪＩＳ  Ｅ  ８１０２に記載されている有彩色の基本色名である赤、黄赤、黄、黄緑、緑、青緑、青、青紫、紫、赤紫のいずれか１つの色、または、ＪＩＳ  Ｅ  ８１０２に記載されている無彩色の基本色名である白、灰色、黒のいずれか１つの色であることを示す。
【００２０】
なお、図１Ａでは、理解を容易にするため画像ａ１および画像ａ２の輪郭を表示しているが、色彩現出板１４０として拡散透光板を用いた場合は、画像ａ１および画像ａ２の輪郭はぼやけて表示される。そのため、ユーザにおいて、目の焦点が一層ぼんやりと結ばれ、演出対象物がさらに遠方に存在するように感じさせることができる。すなわち、少なくとも手前に位置する色彩現出板１４０を拡散透光板とすることで、演出対象物が、より奥行き方向の遠方に存在するように感じさせることが可能となる。
【００２１】
上記に示すいくつかの条件を満たすことで、照明装置を小型化した場合であっても、奥行きを有する周囲環境を疑似的に演出することが可能となる。
【００２２】
以下、本発明の実施の形態の照明装置について、図面を参照しながら説明する。以下に説明する実施の形態は、いずれも本発明の一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２３】
また、「略＊＊」との記載は、「略矩形状」を例に挙げて説明すると、完全な矩形状はもとより、実質的に矩形状と認められるものを含む意図である。
【００２４】
また、各図は、模式図であり、必ずしも厳密に図示されたものではない。また、各図において、実質的に同一の構成に対しては同一の符号を付しており、重複する説明は省略または簡略化される場合がある。
【００２５】
また、以下の実施の形態で説明に用いられる図面においては座標軸が示される場合がある。Ｚ軸のマイナス側が床面側、Ｚ軸のプラス側が天井側を表している。また、Ｘ軸方向およびＹ軸方向は、Ｚ軸方向に垂直な平面上において、互いに直交する方向である。Ｘ−Ｙ平面は、照明装置が備える光分布変更板に平行な平面である。例えば、以下の実施の形態において、「平面視」とは、Ｚ軸方向から見ることを意味する。
【００２６】
（実施の形態１）
［１−１．照明装置の構成］
まず、実施の形態１に係る照明装置１の構成について説明する。
【００２７】
図２は、照明装置１の外観を示す斜視図である。図３は、照明装置１が天井８０に設置されている状態を示す斜視図である。図４は、照明装置１の分解斜視図である。図５は、図３の照明装置１を図３に示すＶ−Ｖ線で切断した場合の断面図である。
【００２８】
照明装置１は、照明装置１を使用するユーザに、屋内から窓を通して外を見るような感覚を疑似体験させるための装置である。照明装置１は、例えば図３に示すように、造営材の一例である天井８０などに設置される。
【００２９】
図２〜図５に示すように、照明装置１は、ケース１０と、光出射板３０と、光分布変更板４０と、制御部７０とを備える。前述した図１Ａに対応させると、光出射板３０が自発光して光を出射する色彩現出板１３０に相当し、光分布変更板４０が色彩現出板１４０に相当する。
【００３０】
ケース１０は、直方体状であり、平面視で略矩形状を有している。ケース１０内には、光出射板３０および光分布変更板４０が収容されている。ケース１０は、床面側（Ｚ軸マイナス側）に、矩形状の開口部１１を有している。ケース１０の開口部１１には、光分布変更板４０が設けられている。光出射板３０は、ケース１０の底面１４と光分布変更板４０との間に設けられている。光出射板３０および光分布変更板４０は、間隔をあけて互いに対向している。制御部７０は、ケース１０の外側に配置されている。なお、制御部７０は、ケース１０内に収容されていてもよい。
【００３１】
ケース１０は、例えば金属材料または高い熱伝導性を有する非金属材料によって形成される。高い熱伝導性を有する非金属材料とは、例えば、熱伝導率が高い樹脂である。ケース１０の形状は、略矩形状に限られず、略円形状、略多角形状、略半円状等の形状でもよい。
【００３２】
光出射板３０は、基板２３と、基板２３に実装された複数の発光素子２２とを有する発光モジュール２１によって構成されている。光出射板３０は、複数の発光素子２２が制御部７０によって発光制御されることで、例えば、青空の中に雲が流れる映像を出射する。
【００３３】
すなわち光出射板３０は、制御部７０によって発光制御されることで、映像などの動的に変化する光を出射する。光出射板３０は、この動的に変化する光を出射する光出射面３２を有している。光出射面３２から出射される光は、均一な分布を有する無地な光ではなく、輝度分布または色度分布などの光分布を含んでいる。なお、光出射板３０として、有機ＥＬを用い、有機ＥＬである光出射板３０から動的な光を出射してもよい。
【００３４】
基板２３は、複数の発光素子２２を実装するためのプリント配線基板であり、略矩形状に形成されている。基板２３としては、例えば、樹脂をベースとする樹脂基板、金属をベースとするメタルベース基板、セラミックからなるセラミック基板等を用いることができる。
【００３５】
発光素子２２は、ＬＥＤ（Ｌｉｇｈｔ  Ｅｍｉｔｔｉｎｇ  Ｄｉｏｄｅ）素子で構成されている。複数の発光素子２２は、基板２３上において行列状に等間隔で配置されている。各発光素子２２は、基板２３の両主面のうち、光分布変更板４０と向き合う主面に配置されている。すなわち、光出射板３０は、光出射面３２が光分布変更板４０と向き合うように配置されている。
【００３６】
発光素子２２は、青色光、緑色光および赤色光、つまり、光の３原色を発光するＲＧＢタイプのＬＥＤ素子である。発光素子２２がＲＧＢタイプのＬＥＤ素子であることから、青色光、緑色光および赤色光の発光を制御することで様々な色の光を出射することができる。発光素子２２は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子であってもよい。発光素子２２は、ＲＧＢ３色に限られす、ＲＧＢＷ４色であってもよいし、ＢＷ２色（青白２色）であってもよい。
【００３７】
光分布変更板４０は、光出射板３０から出射された光を透過および拡散して床面側に出射する拡散透光板である。光分布変更板４０は、光出射板３０から出射された光の光分布、例えば、輝度分布または色度分布を変更して出射する光分布変更出射面４２を有している。
【００３８】
光分布変更板４０は、例えば、透明なアクリルもしくはＰＥＴ（Ｐｏｌｙ  Ｅｔｈｙｌｅｎｅ  Ｔｅｒｅｐｈｔｈａｌａｔｅ）などの樹脂材料、またはガラスから構成された透明板に拡散加工が施されることで作製される。拡散加工は、光分布変更板４０の入射面４１および光分布変更出射面４２の少なくとも一方の面に施される。例えば、拡散加工として、微細なドット状の穴（凹部）からなるプリズムを形成するプリズム処理などがある。また、拡散加工はプリズム処理に限定されず、シボ加工または印刷により行われてもよい。また、拡散加工は、樹脂材料やガラスに、例えばＳｉＯ２（酸化ケイ素）微粒子等の拡散材を分散させても良い。
【００３９】
拡散加工が施された光分布変更板４０のヘイズ値は、例えば１０％以上９０％以下である。ヘイズ値を１０％以上とすることで、光分布変更板４０が透明な材料で構成されていても、ユーザから光出射板３０の発光素子２２が粒状に見えることを抑制できる。また、ヘイズ値を９０％以下とすることで、光分布変更板４０に映し出される映像の輪郭（例えば、青空の中にある雲の輪郭）をある程度保つことができる。なお、ヘイズ値は、例えばプリズム処理により形成されるプリズムの形状および大きさに応じて調整が可能である。
【００４０】
図５に示すように、光分布変更板４０は、光分布変更板４０の外周部をケース１０の内側面１３に当接させることで、ケース１０の開口部１１に設けられている。なお、光分布変更板４０は、ケース１０の開口部１１の端面１２よりも底面１４側に位置するように配置されている。例えば、光分布変更板４０は、天井８０に設置された場合に、天井面よりも外側に位置するように配置される（図３参照）。
【００４１】
光分布変更板４０は、光出射板３０の光出射面３２から出射された光を入射面４１から入射し、この入射した光を透過および拡散して光分布変更出射面４２から出射する。光分布変更板４０には、光出射板３０の発光モジュール２１が発光する色と同色系の色を有する光が現し出される。その際、光分布変更板４０は、光出射面３２から出射された光を拡散および透過することで、光分布変更出射面４２に現し出される輝度分布または色度分布をぼかした状態に変更して出射する。
【００４２】
図６は、照明装置１の制御構成を示すブロック図である。照明装置１の制御構成に着目した場合、照明装置１は、制御部７０と、制御部７０にそれぞれ接続される記憶部７１、発光モジュール２１とを備えている。
【００４３】
制御部７０は、発光モジュール２１の点灯、消灯、調光、および調色（発光色または色温度の調整）などの動作を制御する。制御部７０は、マイクロコンピュータ、プロセッサなど、または専用回路によって実現される。
【００４４】
制御部７０は、記憶部７１に記憶された画像に関する情報を取得し、当該情報に応じて発光モジュール２１の発光を制御する。例えば、制御部７０は、光分布変更板４０に青空を映し出す場合に、記憶部７１から青空に関する情報を取得し、取得した情報をもとに複数の発光素子２２の発光を制御する。このように、制御部７０によって各発光素子２２の発光を制御することで、照明装置１は、例えば、青空、雲、曇り空、朝日、夕空、夕日などの画像を形成する光を光分布変更板４０に映し出す。
【００４５】
ここで、照明装置１に現し出される輝度分布および色度分布について説明する。
【００４６】
図７Ａは、照明装置１に現し出される輝度分布の一例を示す図である。図７Ａは、光出射板３０の光出射面３２に現し出される輝度分布、および、光分布変更板４０の光分布変更出射面４２に現し出される輝度分布を示している。
【００４７】
図７Ａに示すように、光分布変更出射面４２に現し出される輝度分布の輝度差（輝度の最大値と最小値との差）は、光出射面３２に現し出される輝度分布の輝度差（輝度の最大値と最小値との差）はよりも、小さくなっている。言い換えれば、入射面４１から出射された光が、光分布変更板４０にて透過および拡散されることで、光分布変更出射面４２に現し出される輝度分布が、光出射面３２に現し出される輝度分布よりも分布差が少ない状態に変更されている。
【００４８】
また、図７Ａの（ａ）では、光分布変更出射面４２のＡ１−Ａ２線に着目した場合の輝度の変化を示している。図７Ａの（ａ）に示すように、光分布変更出射面４２における輝度は、座標Ａ１から座標Ａ２へ向かうにしたがって緩やかに上昇する傾向にある。図７Ａの（ｂ）では、光出射面３２のＢ１−Ｂ２線に着目した場合の輝度の変化を示している。図７Ａの（ｂ）に示すように、光出射面３２における輝度は、座標Ｂ１から座標Ｂ２に向かうにしたがって、Ａ１−Ａ２線に比べて急に上昇する部分を有している。図７Ａの（ａ）および（ｂ）に示すように、光分布変更出射面４２に現し出される輝度の最大値ｃ１と最小値ｃ２との差は、光出射面３２に現し出される輝度の最大値ｃ３と最小値ｃ４との差よりも小さい。
【００４９】
このように、本実施の形態では、ユーザから見て奥側に位置する光出射板３０に現し出される輝度分布をぼかした状態に変更して、手前に位置する光分布変更板４０に現し出している。これにより、光出射板３０から出射される光の出射位置と光分布変更板４０から出射される光の出射位置との違いを判別しにくくすることができ、照明装置１にて演出する演出対象物が遠方に存在するように感じさせることができる。
【００５０】
ここで、ユーザから見て、演出対象物が遠方に存在するように感じるメカニズムについて説明する。演出対象物が遠方に存在するように感じる要因としては、例えば、次に示す生理的要因と心理的要因とが挙げられる。
【００５１】
まず、生理的要因として、以下の３つの要因が挙げられる。
【００５２】
１つ目の要因は、ユーザにとって、光出射面３２と光分布変更出射面４２とが共にぼかされた状態で見えること、すなわち、目の焦点合わせによる距離感知覚が機能し難いことである。２つ目の要因は、ユーザにとって位置を特定しにくい２つの像が存在することである。具体的には、ユーザと像との距離の違いを判別し難い２つの像（光出射面３２に現された像と光分布変更出射面４２に現された像）があり、この２つの像が重なって見えることである。３つ目の要因は、図１Ａで示した移動視差の存在により、光分布変更出射面４２よりも奥に像があるように感じることである。
【００５３】
これらの３つの要因を有することで、ユーザは、光分布変更出射面４２に現された像の位置を特定し難く、かつ、光分布変更出射面４２よりも奥に像があると感じることになる。
【００５４】
次に、心理的要因として、上記の像が青空や雲のような自然物である場合を例に挙げて説明する。この場合の心理的要因は、ユーザが青空や雲のような像を見ると、普段の生活の中で実際の青空や雲を見る体験が想定され、青空や雲は無限遠に見えるものであるという心理的バイアスがかかり、光出射面３２の像および光分布変更出射面４２の像が遠方にあると感じることである。
【００５５】
照明装置１としては、これらの生理的要因および心理的要因をユーザに持たせることで、演出対象物が遠方に存在するように感じさせることができる。
【００５６】
図７Ｂは、照明装置１に現し出される色度分布の一例を示す図である。
【００５７】
図７Ｂでは、光出射板３０の光出射面３２に現し出される色度分布、および、光分布変更板４０の光分布変更出射面４２に現し出される色度分布が示されている。
【００５８】
図７Ｂに示すように、光分布変更出射面４２に現し出される色度の差は、光出射面３２に現し出される色度の差よりも、小さくなっている。言い換えれば、光出射面３２から出射された光が、光分布変更板４０にて透過および拡散されることで、光分布変更出射面４２に現し出される色度分布が、光出射面３２に現し出される色度分布よりも分布差が少ない状態に変更されている。
【００５９】
このように、ユーザから見て奥側に位置する光出射板３０に現し出される色度分布をぼかした状態に変更して、手前に位置する光分布変更板４０に現し出す。これにより、光出射板３０から出射される光の出射位置と光分布変更板４０から出射される光の出射位置との違いを判別しにくくすることができる。また、上記で説明した生理的要因および心理的要因をユーザに持たせることで、照明装置１にて演出する演出対象物が遠方に存在するように感じさせることができる。
【００６０】
［１−２．効果など］
本実施の形態に係る照明装置１は、開口部１１を有するケース１０と、ケース１０内に設けられ、動的に変化する光分布を含む光を出射する光出射面３２を有する光出射板３０と、光出射板３０と対向するように開口部１１に設けられ、光出射面３２から出射された光の光分布を変更して出射する光分布変更出射面４２を有する光分布変更板４０とを備える。光出射板３０は、光分布を含む光として、光出射面３２に現し出される輝度分布および色度分布のうち少なくとも一方の分布を含む光を出射し、光分布変更板４０は、光出射面３２から出射された光を拡散および透過することで、光分布変更出射面４２に現し出される輝度分布および色度分布の少なくとも一方の分布をぼかした状態に変更して出射する。
【００６１】
このように、光出射板３０および光分布変更板４０を互いに対向させて配置することで、光出射面３２における輝度分布を有する光と、光分布変更出射面４２における輝度分布を有する光とによって演出される演出対象物に奥行きを生じさせることが可能となる。また、光出射面３２に現し出される輝度分布を、ぼかした状態に変更して光分布変更出射面４２に現し出すことで、光出射面３２から出射される光の出射位置と光分布変更出射面４２から出射される光の出射位置との違いを判別しにくくすることができる。これにより、演出対象物が遠方に存在するように感じる要因である生理的要因と心理的要因とをユーザに持たせて、深い奥行きを醸し出すことができる。
【００６２】
また、光出射板３０および光分布変更板４０を互いに対向させて配置することで、光出射面３２における色度分布を有する光と、光分布変更出射面４２における色度分布を有する光とによって演出される演出対象物に奥行きを生じさせることが可能となる。また、光出射面３２に現し出される色度分布を、ぼかした状態に変更して光分布変更出射面４２に現し出すことで、光出射面３２から出射される光の出射位置と光分布変更出射面４２から出射される光の出射位置との違いを判別しにくくすることができる。これにより、演出対象物が遠方に存在するように感じる要因である生理的要因と心理的要因とをユーザに持たせて、深い奥行きを醸し出すことができる。
【００６３】
また、本実施の形態の照明装置１によれば、光出射板３０と光分布変更板４０との距離を従来技術のように遠く離さなくても、奥行きの深い周囲環境を演出することが可能となり、照明装置１を小型化することができる。
【００６４】
例えば、光出射板３０は、光出射面３２に現し出される輝度分布および色度分布のうち、輝度分布を含む光を出射し、光分布変更板４０は、光分布変更出射面４２に現し出される輝度分布をぼかした状態に変更して出射し、光分布変更出射面４２に現し出される輝度の最大値と最小値との差は、光出射面３２に現し出される輝度の最大値と最小値との差よりも小さくてもよい。
【００６５】
これによれば、光出射面３２から出射される光の輝度によって認識される出射位置と光分布変更出射面４２から出射される光の輝度によって認識される出射位置との違いを判別しにくくすることができる。これにより、演出対象物が遠方に存在するように感じる要因である生理的要因と心理的要因とをユーザに持たせて、深い奥行きを醸し出すことができる。
【００６６】
例えば、光出射板３０は、光出射面３２に現し出される輝度分布および色度分布のうち、色度分布を含む光を出射し、光分布変更板４０は、光分布変更出射面４２に現し出される色度分布をぼかした状態に変更して出射し、光分布変更出射面４２に現し出される色度の差は、光出射面３２に現し出される色度の差よりも小さくてもよい。
【００６７】
これによれば、光出射面３２から出射される光の色度によって認識される出射位置と光分布変更出射面４２から出射される光の色度によって認識される出射位置との違いを判別しにくくすることができる。これにより、演出対象物が遠方に存在するように感じる要因である生理的要因と心理的要因とをユーザに持たせて、深い奥行きを醸し出すことができる。
【００６８】
例えば、光分布変更出射面４２から出射される光は、光出射面３２から出射される光と同系統の色彩を有していてもよい。
【００６９】
これによれば、光出射面３２から出射される光の出射位置と、光分布変更出射面４２から出射される光の出射位置とを把握することが視覚的に困難となる。これにより、ユーザの目の焦点が光出射面３２よりも遠方にて結ばれることとなり、上記演出対象物を遠方に存在するように感じさせ、深い奥行きを醸し出すことができる。
【００７０】
例えば、光出射面３２および光分布変更出射面４２に青色の光を映し出した場合は、青色の光が現し出される光分布変更出射面４２の背面側に、同じく青色の光が現し出される光出射面３２が存在することとなり、青色の光が連続する奥行きの深い周囲環境を演出することができる。
【００７１】
例えば、光出射板３０は、複数の発光素子２２を有し、さらに、照明装置１は、複数の発光素子２２の発光を制御する制御部７０を備えている。制御部７０は、光出射面３２に現し出される輝度分布および色度分布のうち少なくとも一方を調整するように複数の発光素子２２の発光を制御してもよい。
【００７２】
これによれば、光出射面３２にて輝度分布または色度分布を調整することができるので、動的に変化する光分布を効率的に出射することができる。また、例えば他の拡散透光板を使わずに、光出射板３０と光分布変更板４０という少ない構成要素の数にて、周囲環境を演出することができる。そのため、光出射板３０と光分布変更板４０とが対向する方向の距離を短くすることができ、照明装置１を小型化することができる。
【００７３】
（実施の形態２）
次に、実施の形態２に係る照明装置１Ａの構成について説明する。照明装置１Ａは、光出射板３０自身は自発光せず、拡散透光板である点で実施の形態１の照明装置１と異なる。
【００７４】
図８は、実施の形態２に係る照明装置１Ａの分解斜視図である。
【００７５】
照明装置１Ａは、ケース１０と、光源２０と、光出射板３０と、光分布変更板４０と、制御部７０とを備える。前述した図１Ａに対応させると、光出射板３０が他の光源によって出射された光を透過して出射する色彩現出板１３０に相当し、光分布変更板４０が色彩現出板１４０に相当する。
【００７６】
ケース１０内には、光源２０、光出射板３０および光分布変更板４０が収容されている。ケース１０の開口部１１には、光分布変更板４０が設けられている。光出射板３０は、光源２０と光分布変更板４０との間に設けられている。光出射板３０および光分布変更板４０は、間隔をあけて互いに対向している。
【００７７】
光源２０は、基板２３と、基板２３に実装された複数の発光素子２２とを有する発光モジュール２１によって構成されている。光源２０は、複数の発光素子２２が制御部７０によって発光制御されることで、例えば、青空の中に雲が流れる映像を出射する。
【００７８】
基板２３は、複数の発光素子２２を実装するためのプリント配線基板であり、略矩形状に形成されている。基板２３としては、例えば、樹脂をベースとする樹脂基板、金属をベースとするメタルベース基板、セラミックからなるセラミック基板等を用いることができる。
【００７９】
発光素子２２は、ＬＥＤ素子で構成されている。複数の発光素子２２は、基板２３上において行列状に等間隔で配置されている。各発光素子２２は、基板２３の両主面のうち、光出射板３０と向き合う主面に配置されている。すなわち、光源２０は、発光素子２２が光出射板３０と向き合うように配置されている。光源２０は、制御部７０によって発光モジュール２１の発光が制御される。これにより光源２０は、映像などの動的に変化する光を出射する。
【００８０】
光出射板３０は、光源２０から出射された光を透過および拡散して床面側に出射する拡散透光板である。光出射板３０は、光源２０から出射された光を入射する入射面３１を有している。また、光出射板３０は、光源２０から出射された動的に変化する光を拡散して出射する光出射面３２を有している。光出射面３２から出射される光は、均一な分布を有する無地な光ではなく、輝度分布または色度分布などの光分布を含んでいる。
【００８１】
光出射板３０は、例えば、透明なアクリルもしくはＰＥＴなどの樹脂材料、またはガラスから構成された透明板に拡散加工が施されることで作製される。拡散加工は、光出射板３０の入射面３１および光出射面３２の少なくとも一方の面に施される。例えば、拡散加工として、微細なドット状の穴（凹部）からなるプリズムを形成するプリズム処理などがある。また、拡散加工はプリズム処理に限定されず、シボ加工または印刷により行われてもよい。また、拡散加工は、樹脂材料やガラスに、例えばＳｉＯ２（酸化ケイ素）微粒子等の拡散材を分散させても良い。拡散加工が施された光出射板３０のヘイズ値は、例えば１０％以上である。
【００８２】
光分布変更板４０は、光出射板３０から出射された光を透過および拡散して床面側に出射する拡散透光板である。光分布変更板４０は、光出射板３０から出射された光の光分布、例えば、輝度分布または色度分布を変更して出射する光分布変更出射面４２を有している。
【００８３】
光分布変更板４０は、例えば、透明なアクリルもしくはＰＥＴなどの樹脂材料、またはガラスから構成された透明板に拡散加工が施されることで作製される。拡散加工は、光分布変更板４０の入射面４１および光分布変更出射面４２の少なくとも一方の面に施される。例えば、拡散加工として、微細なドット状の穴（凹部）からなるプリズムを形成するプリズム処理などがある。また、拡散加工はプリズム処理に限定されず、シボ加工または印刷により行われてもよい。
【００８４】
拡散加工が施された光分布変更板４０のヘイズ値は、例えば１０％以上９０％以下である。光分布変更板４０のヘイズ値は、光出射板３０のヘイズ値よりも小さい。すなわち、光分布変更板４０は、光出射板３０に比べて拡散率が低い。
【００８５】
光分布変更板４０は、光出射板３０の光出射面３２から出射された光を入射面４１から入射し、この入射した光を透過および拡散して光分布変更出射面４２から出射する。光分布変更板４０および光出射板３０には、発光モジュール２１が発光する色と同色系の色を有する光が現し出される。その際、光分布変更板４０は、光出射面３２から出射された光を拡散および透過することで、光分布変更出射面４２に現し出される輝度分布または色度分布をぼかした状態に変更して出射する。
【００８６】
実施の形態２に係る照明装置１Ａでは、光出射板３０および光分布変更板４０を互いに対向させて配置することで、光出射面３２における輝度分布を有する光と、光分布変更出射面４２における輝度分布を有する光とによって演出される演出対象物に奥行きを生じさせることが可能となる。また、光出射面３２に現し出される輝度分布を、ぼかした状態に変更して光分布変更出射面４２に現し出すことで、光出射面３２から出射される光の出射位置と光分布変更出射面４２から出射される光の出射位置との違いを判別しにくくすることができる。これにより、光出射面３２における輝度分布を有する光と、光分布変更出射面４２における輝度分布を有する光とによって演出される演出対象物を遠方に存在するように感じさせ、深い奥行きを醸し出すことができる。なお、上記では輝度分布に関して述べたが、色度分布についても同様の関係がいえる。
【００８７】
実施の形態２に係る照明装置１Ａは、さらに、複数の発光素子２２を有し、光出射板３０に光を出射する光源２０と、複数の発光素子２２の発光を制御する制御部７０とを備える。光出射板３０は、光源２０から出射された光を拡散および透過して光分布変更板４０に向けて出射する拡散透光板である。制御部７０は、光出射面３２に現し出される輝度分布および色度分布のうち少なくとも一方を調整するように複数の発光素子２２の発光を制御する。
【００８８】
実施の形態２の照明装置１Ａでは、光出射板３０が拡散透光板であるので、光出射面３２に入射された光を拡散して出射することができる。そのため、光出射面３２から出射される光の出射位置と、光分布変更出射面４２から出射される光の出射位置とを把握することがさらに困難となる。これにより、演出対象物が遠方に存在するように感じる要因である生理的要因と心理的要因とをユーザに持たせて、深い奥行きを醸し出すことができる。
【００８９】
（実施の形態３）
次に、実施の形態３に係る照明装置１Ｂの構成について説明する。照明装置１Ｂは、光出射板３０が拡散反射板である点で実施の形態２の照明装置１Ａと異なる。
【００９０】
図９は、実施の形態３に係る照明装置１Ｂの分解斜視図である。
【００９１】
照明装置１Ｂは、ケース１０と、光源２０と、光出射板３０と、光分布変更板４０と、制御部７０とを備える。前述した図１Ａに対応させると、光出射板３０が他の光源によって出射された光を反射して出射する色彩現出板１３０に相当し、光分布変更板４０が色彩現出板１４０に相当する。
【００９２】
ケース１０内には、光源２０、光出射板３０および光分布変更板４０が収容されている。ケース１０の開口部１１には、光分布変更板４０が設けられている。光出射板３０は、ケース１０の底面１４と光分布変更板４０との間に設けられている。光出射板３０および光分布変更板４０は、間隔をあけて互いに対向している。ケース１０の内側面１３の一部には、くり抜き部１５が形成されている。光源２０は、出射する光が光出射板３０を向くように、くり抜き部１５の空間内に収容されている。
【００９３】
光源２０は、基板（図示省略）と、基板に実装された複数の発光素子とを有する発光モジュールによって構成されている。光源２０は、白色光を出射する白色光源、または、青色光を出射する青色光源である。
【００９４】
光出射板３０は、光源２０から出射され光を拡散および反射して床面側に出射する拡散反射板である。光出射板３０は、光源２０から出射された動的に変化する光を拡散反射して出射する光出射面３２を有している。光出射面３２から出射される光は、均一な分布を有する無地な光ではなく、輝度分布または色度分布などの光分布を含んでいる。
【００９５】
光出射板３０の光出射面３２は、青色系の色彩に着色されている。青色系の色彩とは、人が光出射面３２を見た場合に青色と認識できる色合いである。光出射板３０は、複数の繊維を積層した積層体、化学繊維またはセルロース繊維を積層した紙状積層体等によって形成される。光出射面３２は、これらの積層体によって形成される面である。なお、光出射面３２は、入射した光を拡散するように、非鏡面である材質であればよく、これらの積層体に限定されない。例えば、光出射面３２は、樹脂材料、金属材料等が光出射板３０の表面に塗装されて形成された面でもよく、スウェード調のような表面であってもよい。つまり、光出射面３２には、入射した光が拡散され易いような艶消しがなされている。言い換えれば、光出射面３２は、艶消しがなされた非光沢面である。
【００９６】
光出射面３２は、青色系の色彩に着色されており、光源２０から出射された光が入射することで青色系の色彩光を反射して出射する。光分布変更板４０は、光出射面３２から出射された青色系の色彩光が入射し、入射した光を透過および拡散することで青色系の色彩光を出射する。その際、光分布変更板４０は、光出射面３２から出射された光を拡散および透過することで、光分布変更出射面４２に現し出される輝度分布または色度分布をぼかした状態に変更して出射する。
【００９７】
実施の形態３に係る照明装置１Ｂでは、光出射板３０および光分布変更板４０を互いに対向させて配置することで、光出射面３２における輝度分布を有する光と、光分布変更出射面４２における輝度分布を有する光とによって演出される演出対象物に奥行きを生じさせることが可能となる。また、光出射面３２に現し出される輝度分布を、ぼかした状態に変更して光分布変更出射面４２に現し出すことで、光出射面３２から出射される光の出射位置と光分布変更出射面４２から出射される光の出射位置との違いを判別しにくくすることができる。これにより、光出射面３２における輝度分布を有する光と、光分布変更出射面４２における輝度分布を有する光とによって演出される演出対象物を遠方に存在するように感じさせ、深い奥行きを醸し出すことができる。なお、上記では輝度分布に関して述べたが、色度分布についても同様の関係がいえる。
【００９８】
また、実施の形態３に係る照明装置１Ｂは、さらに、光出射板３０に光を出射する光源２０を備えている。光出射板３０は、光源２０から出射された光を拡散および反射して光分布変更板４０に向けて出射する拡散反射板である。
【００９９】
実施の形態３の照明装置１Ｂでは、光出射板３０が拡散反射板であるので、光出射面３２に入射された光を拡散して出射することができる。そのため、光出射面３２から出射される光の出射位置と、光分布変更出射面４２から出射される光の出射位置とを把握することがさらに困難となる。これにより、ユーザの目の焦点が光出射面３２よりも遠方にて結ばれることとなり、上記演出対象物を遠方に存在するように感じさせ、深い奥行きを醸し出すことができる。
【０１００】
また、光出射面３２は、青色系の色彩に着色され、光出射板３０は、光源２０から出射された光が入射することで青色系の色彩光を出射し、光分布変更板４０は、光出射面３２から出射された青色系の色彩光が入射することで青色系の色彩光を出射してもよい。
【０１０１】
このように、光出射面３２および光分布変更出射面４２に青色の光が映し出された場合は、青色の光が現し出される光分布変更出射面４２の背面側に、同じく青色の光が現し出される光出射面３２が存在することとなり、青色の光が連続する奥行きの深い周囲環境を演出することができる。
【０１０２】
また、光出射板３０は、複数の繊維を積層した積層体を有していてもよい。これによれば、汎用されている部材で光出射板３０を形成することができる。
【０１０３】
また、光出射板３０は、化学繊維またはセルロース繊維を積層した紙状積層体を有していてもよい。これによれば、汎用されている部材で光出射板３０を形成することができる。
【０１０４】
（実施の形態４）
次に、実施の形態４に係る照明装置１Ｃの構成について説明する。照明装置１Ｃは、光出射板３０が導光板である点で実施の形態２の照明装置１Ａと異なる。
【０１０５】
図１０は、実施の形態４に係る照明装置１Ｃの分解斜視図である。
【０１０６】
照明装置１Ｃは、ケース１０と、第１の光源２０と、光出射板３０と、光分布変更板４０と、第２の光源６０と、制御部７０とを備える。前述した図１Ａに対応させると、光出射板３０が光を透過および拡散する色彩現出板１３０に相当し、光分布変更板４０が光を透過および拡散する色彩現出板１４０に相当する。
【０１０７】
ケース１０内には、第１の光源２０、光出射板３０および光分布変更板４０が収容されている。ケース１０の開口部１１には、光分布変更板４０が設けられている。光出射板３０は、光源２０と光分布変更板４０との間に設けられている。光出射板３０および光分布変更板４０は、間隔をあけて互いに対向している。
【０１０８】
第１の光源２０は、基板２３と、基板２３に実装された複数の発光素子２２とを有する発光モジュール２１によって構成されている。第１の光源２０は、複数の発光素子２２が制御部７０によって発光制御されることで、例えば、青空の中に雲が流れる映像を出射する。
【０１０９】
複数の発光素子２２は、基板２３上において行列状に等間隔で配置されている。各発光素子２２は、基板２３の両主面のうち、光出射板３０と向き合う主面に配置されている。すなわち、第１の光源２０は、発光素子２２が光出射板３０と向き合うように配置されている。第１の光源２０は、制御部７０によって発光モジュール２１の発光が制御される。これにより第１の光源２０は、映像などの動的に変化する光を出射する。
【０１１０】
光出射板３０は、第１の光源２０から出射された光を透過および拡散して床面側に出射する拡散透光板である。光出射板３０は、第１の光源２０から出射された光を入射する入射面３１を有している。また、光出射板３０は、第１の光源２０から出射された動的に変化する光を拡散して出射する光出射面３２を有している。光出射面３２から出射される光は、均一な分布を有する無地な光ではなく、輝度分布または色度分布などの光分布を含んでいる。
【０１１１】
第２の光源６０は、光分布変更板４０に光を入射する発光源である。第２の光源６０は、基板６３と、基板６３に実装された複数の発光素子６２とを有するＬＥＤラインモジュールである。基板６３は、複数の発光素子６２を実装するためのプリント配線基板である。基板６３は、細長く、略矩形状に形成されている。基板６３としては、例えば、樹脂をベースとする樹脂基板、金属をベースとするメタルベース基板、セラミックからなるセラミック基板等を用いることができる。
【０１１２】
第２の光源６０は、光分布変更板４０の側面４４に設けられたサイド部材５０に内蔵されている。具体的には、サイド部材５０は、光分布変更板４０の側面４４に当接する内側面５４と、内側面５４に設けられた凹部５６とを有している。第２の光源６０は、この凹部５６内に収容された状態で、光分布変更板４０の側面４４に対向して配置される。
【０１１３】
発光素子６２は、ＬＥＤ素子で構成されている。複数の発光素子６２は、基板６３上において一列に等間隔で配置されている。
【０１１４】
発光素子６２は、光の３原色を発光するＲＧＢタイプのＬＥＤ素子である。発光素子６２がＲＧＢタイプのＬＥＤ素子であることから、所定の輝度分布または色度分布を有する光を出射することができる。発光素子６２は、ＳＭＤ型のＬＥＤ素子であってもよいし、ＣＯＢ型のＬＥＤ素子であってもよい。
【０１１５】
光分布変更板４０は、光出射板３０から出射された光を透過および拡散して床面側に出射する導光板である。光分布変更板４０は、光出射板３０から出射された光の光分布、例えば、輝度分布または色度分布を変更して出射する光分布変更出射面４２を有している。
【０１１６】
光分布変更板４０は、光分布変更出射面４２を有するエッジライト型の導光板である。光分布変更板４０は、光分布変更出射面４２の反対側の面である入射面４１と、第２の光源６０の発光素子６２と向き合う側面４４とを有している。光分布変更板４０は、第２の光源６０から出射された光を側面４４から入射し、導光板内を経由させて光分布変更出射面４２から出射する。
【０１１７】
光分布変更板４０は、例えば、アクリルもしくはＰＥＴなどの樹脂材料、またはガラス材料によって形成される。光分布変更板４０は、透明であってもよいし、非透明であってもよい。光分布変更出射面４２には、印刷等によってマトリックス状の凹部または凸部が設けられていてもよい。
【０１１８】
光分布変更板４０は、光出射板３０の光出射面３２から出射された光を入射面４１から入射し、この入射した光を透過および拡散して光分布変更出射面４２から出射する。光分布変更板４０には、光出射板３０を介して入射する発光モジュール２１が発光する色と同色系の色を有する光が現し出される。その際、光分布変更板４０は、光出射面３２から出射された光を拡散および透過することで、光分布変更出射面４２に現し出される輝度分布または色度分布をぼかした状態に変更して出射する。
【０１１９】
図１１は、照明装置１Ｃの制御構成を示すブロック図である。照明装置１Ｃの制御構成に着目した場合、照明装置１Ｃは、制御部７０と、制御部７０にそれぞれ接続される記憶部７１、第１の光源２０および第２の光源６０とを備えている。
【０１２０】
制御部７０は、第１の光源２０および第２の光源６０の点灯、消灯、調光、および調色（発光色または色温度の調整）などの動作を制御する。制御部７０は、マイクロコンピュータ、プロセッサなど、または専用回路によって実現される。
【０１２１】
制御部７０は、記憶部７１に記憶された画像に関する情報を取得し、当該情報に応じて第１の光源２０の発光を制御する。例えば、制御部７０は、光分布変更板４０に青空を映し出す場合に、記憶部７１から青空に関する情報を取得し、取得した情報をもとに複数の発光素子２２の発光を制御する。また、制御部７０は、光出射板３０から出射された光に応じて、光分布変更板４０にて輝度分布または色度分布を適切にぼかした状態で出射できるように、導光板である光分布変更板４０の光の出射を制御する。このように、制御部７０によって第１の光源２０および第２の光源６０の発光を制御することで、照明装置１Ｃは、例えば、青空、雲、曇り空、夕空、夕日などの奥行きを有する光を光分布変更板４０に映し出す。
【０１２２】
実施の形態４に係る照明装置１Ｃでは、光出射板３０および光分布変更板４０を互いに対向させて配置することで、光出射面３２における輝度分布を有する光と、光分布変更出射面４２における輝度分布を有する光とによって演出される演出対象物に奥行きを生じさせることが可能となる。また、光出射面３２に現し出される輝度分布を、ぼかした状態に変更して光分布変更出射面４２に現し出すことで、光出射面３２から出射される光の出射位置と光分布変更出射面４２から出射される光の出射位置との違いを判別しにくくすることができる。これにより、演出対象物が遠方に存在するように感じる要因である生理的要因と心理的要因とをユーザに持たせて、深い奥行きを醸し出すことができる。深い奥行きを醸し出すことができる。なお、上記では輝度分布に関して述べたが、色度分布についても同様の関係がいえる。
【０１２３】
また、実施の形態４に係る照明装置１Ｃでは、光源は、光出射面３２に輝度分布および色度分布のうち少なくとも一方を現し出す第１の光源２０と、光分布変更出射面４２に輝度分布および色度分布のうち少なくとも一方を変更した状態で現し出す第２の光源６０とを備えていてもよい。
【０１２４】
このように照明装置１Ｃでは、上記第２の光源６０を有しているので、光分布変更板４０における光の明るさまたは色を調整することができる。そのため、光出射面３２に現し出される輝度分布を、適切にぼかした状態に変更して光分布変更出射面４２に現し出すことができ、光出射面３２から出射される光の出射位置と光分布変更出射面４２から出射される光の出射位置との違いを判別しにくくすることができる。これにより、上記演出対象物を遠方に存在するように感じさせ、深い奥行きを醸し出すことができる。
【０１２５】
（実施の形態４の変形例）
実施の形態３の変形例に係る照明装置１Ｄは、光分布変更板４０が有機ＥＬ（Ｅｌｅｃｔｒｏ−Ｌｕｍｉｎｅｓｃｅｎｃｅ）を有している。有機ＥＬの発光素子は、１画素を構成する３種類の発光素子、すなわち赤色発光素子、緑色発光素子および青色発光素子によって構成されている。複数の発光素子は、光分布変更出射面４２に沿う方向に行列状に配列されている。なお、有機ＥＬは、画素を構成するものでもよいし、画素を構成せず、発光面全体をＲＧＢで色可変するものでもよい。
【０１２６】
発光素子は、ＴＦＴ（Ｔｈｉｎ  Ｆｉｌｍ  Ｔｒａｎｓｉｓｔｏｒ）基板６７と、ＥＬデバイス部６６とが積層した構造を有している。
【０１２７】
ＴＦＴ基板６７は、ガラス基板と、ガラス基板上に形成されたＴＦＴおよび信号線を有している。信号線は、ＴＦＴを駆動するための電力供給線である。ＴＦＴは、ＥＬデバイス部６６へ供給する電流を制御する半導体素子である。
【０１２８】
ＥＬデバイス部６６は、陽極、正孔注入層、発光層、電子注入層および陰極が積層された構造をしている。発光素子の正孔注入層、発光層および電子注入層は、図示しない隔壁（バンク）により、隣に位置する発光素子の正孔注入層、発光層および電子注入層と仕切られている。正孔注入層の下側には、発光層により発光した光を反射する陽極が設けられている。電子注入層の上側には、発光層により発光した光を透過する陰極が設けられている。
【０１２９】
陽極と陰極に直流電圧をかけることで、正孔注入層から注入された正孔と、電子注入層から注入された電子とが発光層内で再結合する。この再結合により生じたエネルギーが発光層内の発光物質を励起させ、発光が起きる。
【０１３０】
このように変形例の照明装置１Ｄでは、上記第２の光源６０を有しているので、光分布変更板４０における光の明るさまたは色を調整することができる。そのため、光出射面３２に現し出される輝度分布を、適切にぼかした状態に変更して光分布変更出射面４２に現し出すことができ、光出射面３２から出射される光の出射位置と光分布変更出射面４２から出射される光の出射位置との違いを判別しにくくすることができる。これにより、上記演出対象物を遠方に存在するように感じさせ、深い奥行きを醸し出すことができる。
【０１３１】
（実施の形態５）
図１３は、実施の形態５に係る照明装置１Ｅの断面図である。図１４は、比較例に係る照明装置１０１Ｅの断面図である。
【０１３２】
実施の形態５では、建物の天井８０に枠体８１が設けられ、照明装置１Ｅが枠体８１の内部に設けられている。具体的には、建物の天井８０に、天井面から内側に突出する枠体８１が設けられている。そして、照明装置１Ｅのケース１０が、枠体８１の内部に設置されている。枠体８１は矩形状であり、ケース１０の側面を囲むように配置される。照明装置１Ｅの光分布変更板４０は、枠体８１の突出した先端部８１ａよりも外側に位置するように配置される。
【０１３３】
一方、比較例に係る照明装置１０１Ｅでは、天井８０に枠体８１が設けられておらず、照明装置１０１Ｅの光分布変更板４０が天井面よりも内側に突出した状態で配置されている。そのため、照明装置１０１Ｅは、光が映し出される光分布変更板４０が天井８０よりも手前に存在し、ユーザにとって奥行きを感じにくい構造となっている。
【０１３４】
それに対し実施の形態５に係る照明装置では、光分布変更板４０が、枠体８１の突出した先端部８１ａよりも外側に位置するように配置されている。したがって、光分布変更板４０が天井面よりも内側に配置されている場合であっても、光分布変更板４０の奥行き感を無理なく感じとることができる。
【０１３５】
（その他の実施の形態）
以上、本発明について実施の形態に基づいて説明したが、本発明は、上記実施の形態に限定されない。
【０１３６】
実施の形態１では、光分布変更板４０に青空を映し出す例を示したが、画像としてはこれに限られない。例えば、光分布変更板４０に青空の中に雲が存在する画像、または、夕空の中に夕日が存在する画像であってもよい。また、青空の中を雲が移動する様子を示す映像であってもよいし、夕空において夕日が沈む様子を示す映像であってもよい。
【０１３７】
実施の形態１では、照明装置１が天井８０に設置される例について説明したが、これに限定されない。例えば、照明装置１が、造営材の一例である壁に設置されていてもよい。
【０１３８】
実施の形態２では、光出射板３０および光分布変更板４０として２つの拡散透光板を用いる例について説明したが、拡散透光板の数は２つに限定されない。すなわち、光出射板３０および光分布変更板４０の他に１以上の拡散透光板を有していてもよい。
【符号の説明】
【０１３９】
１、１Ａ、１Ｂ、１Ｃ、１Ｄ、１Ｅ  照明装置
１０    ケース
１１    開口部
２０    光源（第１の光源）
２２    発光素子
３０    光出射板
３２    光出射面
４０    光分布変更板
４２    光分布変更出射面
６０    第２の光源
７０    制御部
８０    天井
８１    枠体
８１ａ  先端部
【図１Ａ】
2018170125.tif 000003
【図１Ｂ】
2018170125.tif 000004
【図２】
2018170125.tif 000005
【図３】
2018170125.tif 000006
【図４】
2018170125.tif 000007
【図５】
2018170125.tif 000008
【図６】
2018170125.tif 000009
【図７Ａ】
2018170125.tif 000010
【図７Ｂ】
2018170125.tif 000011
【図８】
2018170125.tif 000012
【図９】
2018170125.tif 000013
【図１０】
2018170125.tif 000014
【図１１】
2018170125.tif 000015
【図１２】
2018170125.tif 000016
【図１３】
2018170125.tif 000017
【図１４】
2018170125.tif 000018